【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
撮像機能を制御するための複数の制御部と、
複数の上記制御部の立上処理の実行を要求する要求部と、
装置本体に加えられる動きを検出する検出部と、
上記装置本体の電源オフ状態で、上記検出部が特定の動きを検出すると、上記電源オフ状態のまま複数の上記制御部にそれぞれ上記立上処理を開始させ、上記要求部から上記立上処理の実行が要求されると、複数の上記制御部の上記立上処理の状況に応じて撮像命令の受け付けを開始させる立上制御部と
を具える撮像装置。
【請求項２】
上記立上制御部は、
上記電源オフ状態で、上記検出部が上記特定の動きを検出すると、上記電源オフ状態のまま複数の上記制御部にそれぞれ動作を開始させる第１の処理形態で上記立上処理を開始させ、当該立上処理が全て終了する前に上記要求部から上記立上処理の実行が要求されると、複数の上記制御部に上記第１の処理形態よりも立上処理時間の短縮が可能な第２の処理形態で、残りの上記立上処理を実行させる
請求項１に記載の撮像装置。
【請求項３】
上記立上制御部は、
上記電源オフ状態で、上記検出部が上記特定の動きを検出すると、上記電源オフ状態のまま複数の上記制御部にそれぞれ動作を開始させる第１の処理形態として所定動作クロックで上記立上処理を開始させ、当該立上処理が全て終了する前に上記要求部から上記立上処理の実行が要求されると、上記第２の処理形態として上記所定動作クロックよりも高速な高速動作クロックで、複数の上記制御部に残りの上記立上処理を実行させる
請求項２に記載の撮像装置。
【請求項４】
上記立上制御部は、
上記第２の処理形態として、複数の上記制御部に残りの上記立上処理を、上記高速動作クロックで並列に実行させる
請求項３に記載の撮像装置。
【請求項５】
上記立上制御部は、
複数の上記制御部の上記立上処理が全て終了してから所定の待機時間に達しても、上記要求部から上記立上処理の実行が要求されないと、複数の上記制御部の動作をそれぞれ停止させる
請求項４に記載の撮像装置。
【請求項６】
被写体を撮像して撮像データを出力する撮像処理部と、
表示部と
を具え、
複数の上記制御部は、
上記撮像処理部を制御する撮像制御部と、
上記装置本体に着脱可能に装着される記憶媒体に上記撮像データを記憶する記憶制御部と、
上記表示部に上記撮像データに基づいて画像を表示させる表示制御部と
からなる
請求項５に記載の撮像装置。
【請求項７】
上記立上制御部は、
上記撮像制御部、上記記憶制御部及び上記表示制御部にそれぞれ動作を開始させる上記第１の処理形態として上記所定動作クロックで上記立上処理を開始させ、上記表示制御部による上記立上処理の終了後に上記要求部から上記立上処理の実行が要求されると、上記表示制御部に上記表示部を点灯させる
請求項６に記載の撮像装置。
【請求項８】
上記立上制御部は、
上記撮像制御部、上記記憶制御部及び上記表示制御部にそれぞれ動作を開始させる上記第１の処理形態として上記所定動作クロックで上記立上処理を開始させ、上記撮像制御部による上記立上処理の終了後に上記要求部から上記立上処理の実行が要求されると、上記撮像制御部に上記撮像処理部を制御させ、上記被写体を撮像させる
請求項７に記載の撮像装置。
【請求項９】
発光部
を具え、
上記立上制御部は、
上記撮像制御部の上記立上処理が終了したとき、上記発光部を発光させる
請求項８に記載の撮像装置。
【請求項１０】
上記立上制御部は、
上記電源オフ状態で、上記検出部が上記特定の動きを検出する前に、上記要求部から上記立上処理の実行が要求されると、上記撮像制御部、上記記憶制御部及び上記表示制御部の上記立上処理を同時に開始させる
請求項９に記載の撮像装置。
【請求項１１】
装置本体の電源オフ状態で、検出部が上記装置本体に加えられる特定の動きを検出すると、上記電源オフ状態のまま、撮像機能を制御するための複数の制御部にそれぞれ立上処理を開始させる立上処理開始ステップと、
要求部から複数の上記制御部の上記立上処理の実行が要求されると、複数の上記制御部の上記立上処理の実行状況に応じて撮像命令の受け付けを開始させる命令受付開始ステップと
を具える撮像制御方法。
【請求項１２】
コンピュータに
装置本体の電源オフ状態で、検出部が上記装置本体に加えられる特定の動きを検出すると、上記電源オフ状態のまま、撮像機能を制御するための複数の制御部にそれぞれ立上処理を開始させる立上処理開始ステップと、
要求部から複数の上記制御部の上記立上処理の実行が要求されると、複数の上記制御部の上記立上処理の実行状況に応じて撮像命令の受け付けを開始させる命令受付開始ステップと
を実行させるための撮像制御プログラム。
【手続補正２】
【補正対象書類名】明細書
【補正対象項目名】００１２
【補正方法】変更
【補正の内容】
【００１２】
かかる課題を解決するため本発明においては、撮像装置において、撮像機能を制御するための複数の制御部と、複数の制御部の立上処理の実行を要求する要求部と、装置本体に加えられる動きを検出する検出部と、装置本体の電源オフ状態で、検出部が特定の動きを検出すると、電源オフ状態のまま複数の制御部にそれぞれ立上処理を開始させ、要求部から立上処理の実行が要求されると、複数の制御部の立上処理の状況に応じて撮像命令の受け付けを開始させる立上制御部とを設けるようにした。
【手続補正３】
【補正対象書類名】明細書
【補正対象項目名】００１４
【補正方法】変更
【補正の内容】
【００１４】
本発明によれば、撮像装置において、撮像機能を制御するための複数の制御部と、複数の制御部の立上処理の実行を要求する要求部と、装置本体に加えられる動きを検出する検出部と、装置本体の電源オフ状態で、検出部が特定の動きを検出すると、電源オフ状態のまま複数の制御部にそれぞれ立上処理を開始させ、要求部から立上処理の実行が要求されると、複数の制御部の立上処理の状況に応じて撮像命令の受け付けを開始させる立上制御部とを設けるようにしたことにより、立上処理の実行が要求される前に装置本体の特定の動きの検出に応じて、撮像機能を制御するための複数の制御部に立上処理を開始させておくことで、立上処理の実行が要求されてから、継続的に撮像可能な状態にするまでの時間を大幅に短くすることができ、かくして使い勝手を向上し得る撮像装置、及び撮像装置の使い勝手を向上し得る撮像制御方法及び撮像制御プログラムを実現することができる。
【手続補正４】
【補正対象書類名】明細書
【補正対象項目名】０４５３
【補正方法】変更
【補正の内容】
【０４５３】
しかしながら本発明は、これに限らず、制御部に、現像制御部７及び保存制御部８の機能を併せ持つ記憶制御部と、撮像制御部５との２つの制御部や、当該記憶制御部、撮像制御部５及び表示制御部６の３つの制御部を適用することができる。
【手続補正５】
【補正対象書類名】明細書
【補正対象項目名】０４３５
【補正方法】変更
【補正の内容】
【０４３５】
しかしながら本発明は、これに限らず、デジタルスチルカメラ１に、表示制御部６及び表示部２１に加えて、又は表示制御部６及び表示部２１に代えてビューファインダ（覗き窓）を設けるようにしても良い。
【手続補正６】
【補正対象書類名】図面
【補正対象項目名】図９
【補正方法】変更
【補正の内容】
【図９】
2010258607.tif 000001